(57)【要約】      （修正有）【課題】  同一のネットワークに接続されている画像形成装置とＰＣを一つの集合体として捉え、連結して電源のオン／オフを行うことを可能とするネットワークプリントシステムにおいて、同時に複数の電源切り替え手段が存在しても、所定の条件が揃わなければプリントシステムの電源をオフしないようにして、従来から存在する諸問題を解決して最適な電源制御を行えるネットワークプリントシステムを提供する。【解決手段】  停止しているプリンタは、自分の管理するＰＣの一つでも起動し登録されると、自動的に電源が入り起動する。この際、プリンタは低電力モードで待機する。また、プリンタが起動している状態でも、他のＰＣが起動するとその通知を受け、プリンタは管理するＰＣに追加する。また、ＰＣは終了時に、対象プリンタに終了を通知する。起動しているプリンタは、自分が管理するＰＣが全て終了してしまうと、自動的に電源がＯＦＦされ停止する。【選択図】  図１
2006001146.tif 000002
【特許請求の範囲】
【請求項１】
複数の情報処理端末と、所定の作像プロセスにより記録用シートに画像を形成する画像形成装置と、前記情報処理端末と画像形成装置とを接続するネットワークと、を備えたネットワークプリントシステムにおいて、
前記画像形成装置は、各情報処理端末が前記画像形成装置を起動するか停止するかについての情報を通知する情報通知手段と、該情報通知手段により通知された起動・停止情報を記憶する情報記憶手段と、記憶した起動・停止情報に基づいて前記画像形成装置の電源をオン／オフする自動電源制御手段と、手動により前記電源をオン／オフする電源スイッチと、を備え、
前記画像形成装置は、前記情報記憶手段に記憶されている起動・停止情報の全てが停止情報であることを確認した場合、当該画像形成装置の自動電源制御手段により当該電源をオフすることを特徴とするネットワークプリントシステム。
【請求項２】
前記画像形成装置は、前記情報記憶手段に記憶されている起動・停止情報のうち少なくとも一つが起動情報であるときに、前記電源スイッチをオフするように操作された場合、現在稼動中の情報処理端末が存在する旨を報知すると共に、当該画像形成装置の電源をオフしないように制御することを特徴とする請求項１に記載のネットワークプリントシステム。
【請求項３】
前記画像形成装置は、前記情報記憶手段に記憶されている起動・停止情報のうち少なくとも一つが起動情報であるときに、前記電源スイッチをオフするように操作された場合、現在稼動中の情報処理端末が存在する旨を報知するか、或いは当該画像形成装置の電源制御を行うかを選択可能としたことを特徴とする請求項２に記載のネットワークプリントシステム。
【請求項４】
前記画像形成装置は、前記情報記憶手段に記憶されている起動・停止情報のうち少なくとも一つが起動情報であるとき、前記電源スイッチをオフするように操作された場合、現在稼動中の情報処理端末に対して当該画像形成装置の電源をオフしてもよいか否かの確認を行い、前記情報処理端末が電源オフを許可した場合、当該画像形成装置の電源をオフすることを特徴とする請求項１に記載のネットワークプリントシステム。
【請求項５】
前記画像形成装置は、前記情報記憶手段に記憶されている起動・停止情報のうち少なくとも一つが起動情報であるとき、前記電源スイッチをオフするように操作された場合、現在稼動中の情報処理端末に対して当該画像形成装置の電源をオフする確認を行うか否かを選択可能としたことを特徴とする請求項４に記載のネットワークプリントシステム。
【請求項６】
前記画像形成装置は、前記情報処理端末から遠隔操作により電源をオン／オフする遠隔操作手段を更に備え、前記情報記憶手段に起動情報を記憶している第一の情報処理端末が存在するときに、第二の情報処理端末から前記遠隔操作手段により前記画像形成装置の電源をオフするように操作された場合、前記第一の情報処理端末が存在する旨の報知を行うと共に、当該画像形成装置の電源をオフしないように制御することを特徴とする請求項１に記載のネットワークプリントシステム。
【請求項７】
前記画像形成装置は、前記第一の情報処理端末が存在するときに、前記第二の情報処理端末から前記遠隔操作手段により前記画像形成装置の電源をオフするように操作された場合、前記第一の情報処理端末が存在する旨の報知を行うか否かを選択可能としたことを特徴とする請求項６に記載のネットワークプリントシステム。
【請求項８】
前記画像形成装置は、前記第一の情報処理端末が存在するときに、前記第二の情報処理端末から前記遠隔操作手段により前記画像形成装置の電源をオフするように操作された場合、前記第一の情報処理端末に対して当該画像形成装置の電源をオフしてもよいか否かの確認を行い、前記第一の情報処理端末が電源オフを許可した場合、当該画像形成装置の電源をオフすることを特徴とする請求項１に記載のネットワークプリントシステム。
【請求項９】
前記画像形成装置は、前記第一の情報処理端末が存在するときに、前記第二の情報処理端末から前記遠隔操作手段により前記画像形成装置の電源をオフするように操作された場合、前記第一の情報処理端末に対して当該画像形成装置の電源をオフする確認を行うか否かを選択可能としたことを特徴とする請求項８に記載のネットワークプリントシステム。
【請求項１０】
前記画像形成装置は、前記情報記憶手段に起動情報を記憶している情報処理端末が存在するときに、前記画像形成装置が所定の動作を行わないまま所定の時間が経過した場合、前記情報処理端末に対して当該画像形成装置の電源をオフしてもよいか否かの確認を行い、前記情報処理端末が電源オフを許可することにより、当該画像形成装置の電源をオフすることを特徴とする請求項１に記載のネットワークプリントシステム。
【請求項１１】
前記画像形成装置は、前記情報記憶手段に起動情報を記憶している情報処理端末が存在するときに、前記電源スイッチをオフするように操作されたとき、既に所定の処理が予約されている場合には、前記電源をオフせず、前記予約処理を完了してから改めて前記電源のオフが可能か否かを判断し、該判断結果に基づいて前記電源を制御することを特徴とする請求項１に記載のネットワークプリントシステム。
【請求項１２】
前記画像形成装置は、パスワード入力による認証手段を更に備え、該認証手段により認証された場合、前記電源スイッチをオフする操作により当該画像形成装置の電源をオフできるようにすることを特徴とする請求項１に記載のネットワークプリントシステム。
【請求項１３】
前記パスワード入力による認証手段は、管理者用のパスワード及び一般ユーザー用のパスワードの何れか一方、又は両方を設定可能としたことを特徴とする請求項１２に記載のネットワークプリントシステム。
【請求項１４】
前記管理者用のパスワードの入力を行うことにより、複数の情報処理端末が稼動している状況でも、前記自動電源制御手段による電源のオフ、または前記電源スイッチによる電源のオフを可能としたことを特徴とする請求項１２に記載のネットワークプリントシステム。
【請求項１５】
前記画像形成装置に障害が発生している場合は、複数の情報処理端末が稼動している状況であっても、強制的に当該画像形成装置の電源をオフすることを可能としたことを特徴とする請求項１に記載のネットワークプリントシステム。
【発明の詳細な説明】
【技術分野】
【０００１】
本発明は、ネットワークプリントシステムに関し、さらに詳しくは、ネットワークに接続された情報処理端末から画像形成装置の電源を制御する方法に関するものである。
【背景技術】
【０００２】
従来、プリンタの電源はプリンタ本体面にあるスイッチを用いて手動で電源オン／オフを行っている。また複数の情報処理端末と複数のプリンタで構成されるネットワーク環境下においても、同様に各プリンタの電源を手動でオン／オフを行っているため、ユーザーが１台ずつプリンタの電源を入れなければならず手間がかかり、それによりプリンタの電源オフのし忘れが発生した場合、無駄な電力を消費するといった問題が発生している。
この問題を解決するために、ネットワークに接続されるプリンタを、接続される情報処理端末の状況により電源制御を行い、自動的に電源のオン／オフを行う装置が提案されている。例えば、従来技術として、特開２０００−２０１７９公報には、複数のクライアントコンピュータと、この複数のクライアントコンピュータに接続可能な１台のネットワークプリンタとがサーバコンピュータを介して接続されるプリンタシステムにおいて、前記ネットワークプリンタは、前記複数のクライアントコンピュータからのリモートコントロールにて電源のオン／オフを制御する電源制御手段と、この電源制御手段により前記複数のクライアントコンピュータのうちの任意の１台のクライアントコンピュータから電源オフの指示がある場合、前記任意の１台のクライアントコンピュータ以外の他のクライアントコンピュータとの接続状況を確認する接続状況確認手段とを有し、前記電源制御手段は、前記接続状況確認手段により確認された接続状況の情報に基づいて電源オフ可能な状態と判断した時にのみ電源をオフするように制御することが開示されている。
また、他の従来技術として、特開２００２−６３００６公報には、複数の端末装置とネットワークで接続され、前記複数の端末装置のうち特定の端末装置からのアクセスのみ許可して印刷処理を行うネットワークプリンタにおいて、前記アクセスを許可する前記端末装置の電源のオン／オフ状態を検出する検出手段と、前記ネットワークプリンタの電源のオン／オフを制御する電源制御手段と、前記アクセスを許可する前記端末装置の全てが電源オフ状態であることを前記検出手段が検出すると、前記電源制御手段に電源をオフさせる制御手段と、を備えたことを特徴とするネットワークプリンタについて開示されている。
【特許文献１】特開２０００−２０１７９公報
【特許文献２】特開２００２−６３００６公報
【発明の開示】
【発明が解決しようとする課題】
【０００３】
しかし、特許文献１、特許文献２に開示されている従来技術では、自動的に電源をオン／オフする手段と、画像形成装置本体から手動で電源をオン／オフする手段とが同時に動作する場合の問題について触れていない。即ち、プリンタ等の画像形成装置では、機器の設定や、機器単体の機能を得るために、プリンタ本体付属の電源スイッチは必須である。この本体付属のスイッチと、自動電源制御手段と、複数の電源切り替え手段が同時に存在することにより、様々な問題が発生してくる。
まず第一に、複数のユーザーが同一のプリンタを使用している状況で、せっかく自動電源制御手段を用いて、最適な電源状態を制御しているにも関わらず、あるユーザーがプリンタ本体の電源を落としてしまうことで、別のユーザーが印刷することが不可能になり、最適な電源状態が維持できなくなるといった問題がある。
また、機密印刷や時刻指定印刷のような、何らかの印刷処理の予約がなされている場合に、ユーザーがプリンタ本体の電源を落としてしまうことで、その印刷処理が実行できなくなってしまう。
また、家庭で複数のＰＣをネットワークで繋ぎ、プリンタを共有して使用するホームネットワーク環境では、プリンタとＰＣが１階と２階、もしくは別々の部屋に存在する場合がある。このような状況では、プリンタを使用しているユーザーがプリンタから見えないところにいるので、プリンタ自体の電源のオン／オフの判断に困ってしまう。
しかし、これらの問題があるからといって、自動電源制御を行っている最中にプリンタ本体の電源をオフすることできないようにすると、プリンタの保守を行う管理者にとって都合が悪くなり、ユーザーがＰＣを消し忘れてしまった時などにプリンタが無駄に電力を消費するといった問題が発生してしまう。その他にも、自動電源制御手段を用いて、最適な電源状態を制御していても、実際には、ユーザーは印刷する意思が無い状態である可能性もあるなど、様々な問題が存在する。
本発明は、かかる課題に鑑み、同一のネットワークに接続されている画像形成装置とＰＣを一つの集合体として捉え、連結して電源のオン／オフを行うことを可能とするネットワークプリントシステムにおいて、同時に複数の電源切り替え手段が存在しても、所定の条件が揃わなければプリントシステムの電源をオフしないようにして、従来から存在する諸問題を解決して最適な電源制御を行えるネットワークプリントシステムを提供することを目的としている。
【課題を解決するための手段】
【０００４】
本発明はかかる課題を解決するために、請求項１は、複数の情報処理端末と、所定の作像プロセスにより記録用シートに画像を形成する画像形成装置と、前記情報処理端末と画像形成装置とを接続するネットワークと、を備えたネットワークプリントシステムにおいて、前記画像形成装置は、各情報処理端末が前記画像形成装置を起動するか停止するかの情報を通知する情報通知手段と、該情報通知手段により通知された起動・停止情報を記憶する情報記憶手段と、記憶した起動・停止情報に基づいて前記画像形成装置の電源をオン／オフする自動電源制御手段と、手動により前記電源をオン／オフする電源スイッチと、を備え、前記画像形成装置は、前記情報記憶手段に記憶されている起動・停止情報の全てが停止情報であることを確認した場合、当該画像形成装置の自動電源制御手段により当該電源をオフすることを特徴とする。
本発明はネットワークに接続された複数の情報処理端末と、その情報処理端末からの印刷データを受信して画像を形成する画像形成装置とからなるネットワークプリントシステムであって、特に、画像形成装置の電源を各情報処理端末からオン、オフ可能とするように構成されている場合、電源オフの制御を全ての情報処理端末が停止したときに行うようにするために、各情報処理端末が画像形成装置を起動するか停止するかの情報を通知する情報通知手段を設けたところに特徴がある。そしてこの起動・停止情報の全てが停止情報であることを確認した場合、画像形成装置の電源をオフするものである。
【０００５】
請求項２は、前記画像形成装置は、前記情報記憶手段に記憶されている起動・停止情報のうち少なくとも一つが起動情報であるときに、前記電源スイッチをオフするように操作された場合、現在稼動中の情報処理端末が存在する旨を報知すると共に、当該画像形成装置の電源をオフしないように制御することを特徴とする。
画像形成装置には手動により電源をオン、オフする電源スイッチが備えられているのが通常である。従って、ユーザーによりこの電源スイッチを操作されて電源をオフされる可能性がある。そこで本発明では、情報記憶手段に記憶されている起動・停止情報のうち少なくとも一つが起動情報であるときは、現在起動中の情報処理端末があると判断されるので、電源スイッチを操作された場合は、現在稼動中の情報処理端末がある旨を通知して、電源がオフしないようにするものである。
請求項３は、前記画像形成装置は、前記情報記憶手段に記憶されている起動・停止情報のうち少なくとも一つが起動情報であるときに、前記電源スイッチをオフするように操作された場合、現在稼動中の情報処理端末が存在する旨を報知するか、或いは当該画像形成装置の電源制御を行うかを選択可能としたことを特徴とする。
本発明は、請求項２の処理を行うか否かを選択できるようにしたものである。即ち、緊急事態が発生して電源をオフしなければならない状況が発生した場合、起動・停止情報のうち少なくとも一つが起動情報であると、緊急事態に即応できなくなる虞がある。それを防止するために何らかの処置を行うことにより手動による電源スイッチを優先させるものである。
【０００６】
請求項４は、前記画像形成装置は、前記情報記憶手段に記憶されている起動・停止情報のうち少なくとも一つが起動情報であるとき、前記電源スイッチをオフするように操作された場合、現在稼動中の情報処理端末に対して当該画像形成装置の電源をオフしてもよいか否かの確認を行い、前記情報処理端末が電源オフを許可した場合、当該画像形成装置の電源をオフすることを特徴とする。
本発明は請求項３の電源スイッチを優先させる条件の一つとして、あまり緊急性がなければ、現在稼動中の情報処理端末に対して画像形成装置の電源をオフしてもよいか否かを確認する方法である。その結果、情報処理端末が電源オフを許可した場合に手動の電源スイッチにより電源をオフするものである。
請求項５は、前記画像形成装置は、前記情報記憶手段に記憶されている起動・停止情報のうち少なくとも一つが起動情報であるとき、前記電源スイッチをオフするように操作された場合、現在稼動中の情報処理端末に対して当該画像形成装置の電源をオフする確認を行うか否かを選択可能としたことを特徴とする。
本発明は、請求項４の処理を行うか否かを選択できるようにしたものである。即ち、緊急事態が発生して電源をオフしなければならない状況が発生した場合、起動・停止情報のうち少なくとも一つが起動情報であると、緊急事態に即応できなくなる虞がある。それを防止するために何らかの処置を行うことにより手動による電源スイッチを優先させるものである。
【０００７】
請求項６は、前記画像形成装置は、前記情報処理端末から遠隔操作により電源をオン／オフする遠隔操作手段を更に備え、前記情報記憶手段に起動情報を記憶している第一の情報処理端末が存在するときに、第二の情報処理端末から前記遠隔操作手段により前記画像形成装置の電源をオフするように操作された場合、前記第一の情報処理端末が存在する旨の報知を行うと共に、当該画像形成装置の電源をオフしないように制御することを特徴とする。
本発明は情報処理端末から遠隔操作により電源をオン／オフする遠隔操作手段を更に備え、起動中の情報処理端末が存在する場合で、且つ遠隔操作手段により画像形成装置の電源をオフするように操作された場合、稼動中の情報処理端末が存在する旨を通知すると共に、画像形成装置の電源をオフしないものである。
請求項７は、前記画像形成装置は、前記第一の情報処理端末が存在するときに、前記第二の情報処理端末から前記遠隔操作手段により前記画像形成装置の電源をオフするように操作された場合、前記第一の情報処理端末が存在する旨の報知を行うか否かを選択可能としたことを特徴とする。
本発明は、請求項６の処理を行うか否かを選択できるようにしたものである。
請求項８は、前記画像形成装置は、前記第一の情報処理端末が存在するときに、前記第二の情報処理端末から前記遠隔操作手段により前記画像形成装置の電源をオフするように操作された場合、前記第一の情報処理端末に対して当該画像形成装置の電源をオフしてもよいか否かの確認を行い、前記第一の情報処理端末が電源オフを許可した場合、当該画像形成装置の電源をオフすることを特徴とする。
本発明は、起動中の情報処理端末が存在する場合で、且つ遠隔操作手段により画像形成装置の電源をオフするように操作された場合、稼動中の情報処理端末に電源をオフしても良いかを確認してオフする許可を得たときは、画像形成装置の電源をオフするものである。
【０００８】
請求項９は、前記画像形成装置は、前記第一の情報処理端末が存在するときに、前記第二の情報処理端末から前記遠隔操作手段により前記画像形成装置の電源をオフするように操作された場合、前記第一の情報処理端末に対して当該画像形成装置の電源をオフする確認を行うか否かを選択可能としたことを特徴とする。
本発明は、請求項８の処理を行うか否かを選択できるようにしたものである。
請求項１０は、前記画像形成装置は、前記情報記憶手段に起動情報を記憶している情報処理端末が存在するときに、前記画像形成装置が所定の動作を行わないまま所定の時間が経過した場合、前記情報処理端末に対して当該画像形成装置の電源をオフしてもよいか否かの確認を行い、前記情報処理端末が電源オフを許可することにより、当該画像形成装置の電源をオフすることを特徴とする。
本発明は、起動している情報処理端末が存在するにもかかわらず、画像形成装置が所定の時間経過しても何の動作も行わないことがある。このような場合、画像形成装置は使用可能であるにもかかわらず情報処理端末が使用しないと見なして、起動中の情報処理端末が電源オフを許可することにより、画像形成装置の電源をオフするものである。
請求項１１は、前記画像形成装置は、前記情報記憶手段に起動情報を記憶している情報処理端末が存在するときに、前記電源スイッチをオフするように操作されたとき、既に所定の処理が予約されている場合には、前記電源をオフせず、前記予約処理を完了してから改めて前記電源のオフが可能か否かを判断し、該判断結果に基づいて前記電源を制御することを特徴とする。
起動情報を記憶している情報処理端末が存在するときに、手動により電源スイッチング手段をオフするように操作されたとき、処理の予約がされている場合は、画像形成装置の電源をオフすることはできない。従って、そのような場合は予約処理が完了後に、改めて電源オフが可能か否かを判断して電源を制御するものである。
【０００９】
請求項１２は、前記画像形成装置は、パスワード入力による認証手段を更に備え、該認証手段により認証された場合、前記電源スイッチをオフする操作により当該画像形成装置の電源をオフできるようにすることを特徴とする。
緊急事態が発生して電源をオフしなければならない状況が発生した場合、緊急事態に即応するために、特定の利用者にパスワードを与えて、そのパスワードが入力された場合は、手動の電源スイッチにより電源をオフすることができるようにするものである。
請求項１３は、前記パスワード入力による認証手段は、管理者用のパスワード及び一般ユーザー用のパスワードの何れか一方又は両方を設定可能としたことを特徴とする。
パスワードにレベルを設けることにより、そのレベルに応じて処理内容を変えることができる。即ち、パスワードを管理者用と一般ユーザー用に分け、それらの何れか一方又は両方を設定可能とするものである。
請求項１４は、前記管理者用のパスワードの入力を行うことにより、複数の情報処理端末が稼動している状況でも、前記自動電源制御手段による電源のオフ、または前記電源スイッチによる電源のオフを可能としたことを特徴とする。
管理者用のパスワードは優先度が高い。即ち、このパスワードが入力された場合は、情報処理端末が起動している状況においても、画像形成装置の電源をどのような方法においてもオフすることができる。
請求項１５は、前記画像形成装置に障害が発生している場合は、複数の情報処理端末が稼動している状況であっても、強制的に当該画像形成装置の電源をオフすることを可能としたことを特徴とする。
画像形成装置は、紙詰まりや装置の障害が発生する場合がある。特に、紙詰まりの場合は、電源をオフして紙を取り除く必要がある。そこで本発明では、このような障害が発生した場合に、情報処理端末が稼動している状況であっても、強制的に画像形成装置の電源をオフするものである。
【発明の効果】
【００１０】
請求項１の発明によれば、画像形成装置の電源オフの制御を全ての情報処理端末が停止したときに行うために、各情報処理端末が画像形成装置を起動するか停止するかの情報を通知する情報通知手段を設け、そしてこの起動・停止情報の全てが停止情報であることを確認した場合に限り、画像形成装置の電源をオフするので、稼動中の情報処理端末が画像形成装置を使用できなくなる不都合を回避することができると共に、効率良く画像形成装置の電源をオフすることができる。
また請求項２では、情報記憶手段に記憶されている起動・停止情報のうち少なくとも一つが起動情報であるときは、現在稼動中の情報処理端末があると判断されるので、そのとき電源スイッチが操作された場合は、現在稼動中の情報処理端末がある旨を通知して、電源がオフしないようにすることにより、無意味に手動の電源スイッチにより電源がオフされることを防止することができる。
また請求項３では、請求項２の処理を行うか否かを選択できるようにしたので、臨機応変に画像形成装置の電源スイッチのモードを変更することができる。
【００１１】
また請求項４では、起動中の情報処理端末が電源オフを許可した場合に、手動の電源スイッチにより電源をオフすることができるので、稼動中の情報処理端末の処理を邪魔することなく電源スイッチをオフすることができる。
また請求項５では、請求項４の処理を行うか否かを選択できるようにしたので、緊急性を要する事態が発生した場合に、即座に対応が可能となる。
また請求項６では、起動中の情報処理端末が存在して、且つ遠隔操作手段により画像形成装置の電源をオフするように操作された場合、稼動中の情報処理端末が存在する旨を通知すると共に、画像形成装置の電源をオフしないように制御するので、無意味に遠隔操作手段により電源がオフされることを防止することができる。
また請求項７では、請求項６の処理を行うか否かを選択できるようにしたので、臨機応変に遠隔操作手段による画像形成装置の電源スイッチのモードを変更することができる。
また請求項８では、起動中の情報処理端末に電源をオフしても良いかを確認し、その結果、オフしてもよいとの許可を得たときに画像形成装置の電源をオフするので、稼動中の情報処理端末の処理を邪魔することなく電源スイッチをオフすることができる。
また請求項９では、請求項８の処理を行うか否かを選択できるようにしたので、臨機応変に画像形成装置の電源スイッチのモードを変更することができる。
【００１２】
また請求項１０では、画像形成装置が所定の時間経過しても何の動作も行わない場合は、稼動中の情報処理端末が電源オフを許可することにより、画像形成装置の電源をオフするので、画像形成装置が使用可能であるにもかかわらず情報処理端末が使用しないと見なして無駄な電力を削減することができる。
また請求項１１では、手動により電源スイッチング手段をオフするように操作されたとき処理の予約がされている場合は、予約処理が完了後に、改めて電源オフが可能か否かを判断して電源を制御するので、予約処理を確実に処理することができる。
また請求項１２では、パスワードが入力された場合は、手動の電源スイッチにより電源をオフすることができるので、手動の電源スイッチによる電源オフの許可条件を変更することができる。
また請求項１３では、認証手段は、管理者用のパスワード及び一般ユーザー用のパスワードの何れか一方又は両方を設定できるので、パスワードのレベルを変更することができる。
また請求項１４では、管理者用のパスワードが入力された場合は、情報処理端末が稼動している状況においても、画像形成装置の電源をどのような方法においてもオフすることができるので、管理者が優先権を持ってシステムを制御することができる。
また請求項１５では、画像形成装置に障害が発生した場合に、情報処理端末が稼動している状況であっても、強制的に画像形成装置の電源をオフするので、障害の発生に伴う画像形成装置の他の部分への波及を最小限にすることができる。
【発明を実施するための最良の形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下、各図面を参照して実施例ごとに説明する。
《実施例１》
図１は、本発明のネットワークプリントシステムの一例を示す図である。このネットワークプリントシステム１００は、複数のクライアントＰＣ（以下、単にＰＣと記す）（情報処理端末）１〜５と、所定の作像プロセスにより記録用シートに画像を形成するプリンタ（画像形成装置）７、８と、ＰＣ１〜５とプリンタ７、８とを接続するＬＡＮ（ネットワーク）６とを備えて構成される。複数のＰＣ１〜５が、それぞれのプリンタ７、８に印刷データを送信し、印刷または、蓄積、書き込み等の処理ができる。また本実施例では、このような同一のネットワーク印刷環境下で、プリンタ７、８とＰＣ１〜５を一つの集合体として捉え、自動的にプリンタの起動制御（電源のオン／オフ等）を行うプリンタシステムにおいて、プリンタ本体に付属する電源スイッチと、起動制御との、二つの電源切り替え手段が同時に作用する事により発生する弊害を解消するものである。
次に、実施例１における自動電源制御の仕組みを説明する。まず、同一ＬＡＮ６上に存在するＰＣであればどのＰＣでも起動し、起動を始めたことをプリンタに登録できる。プリンタは、現在起動しているＰＣの情報を保持できる。起動時に起動登録する対象プリンタは、ＰＣ毎に複数（個別もしくは全て）設定することもでき、各ＰＣは起動時に対象プリンタに起動したことを通知する。図１では、ＰＣ１、ＰＣ２、ＰＣ３、プリンタ７をグループ１とし、ＰＣ３、ＰＣ４、ＰＣ５、プリンタ８をグループ２とする。そしてグループ１とグループ２がそれぞれプリンタ７、プリンタ８に起動登録を行う集合となっている。この図で対象プリンタが複数ある場合（図１ではＰＣ３）は、その全ての対象プリンタ（プリンタ７、プリンタ８）に対して起動したことを通知する。停止しているプリンタは、自分の管理するＰＣの一つでも起動し登録されると、自動的に電源が入り起動する。この際、プリンタは低電力モードで待機する。また、プリンタが起動している状態でも、他のＰＣが起動するとその通知を受け、プリンタは管理するＰＣに追加する。また、ＰＣは終了時に、対象プリンタに終了を通知する。起動しているプリンタは、自分が管理するＰＣが全て終了してしまうと、自動的に電源がＯＦＦされ停止する。
【００１４】
図２は、同一ネットワーク１３上に存在するプリンタ１４とＰＣ１１、１２のやり取りを示している図である。図５のフローチャートを参照して説明する。図５はネットワーク上に存在する一つのプリンタが自動的にプリンタの起動制御行うときの、起動から終了までの基本的なフローチャートである。例えば、ＰＣ１１から起動通知１５を受けると（Ｓ１）、ＰＣ１１の登録を行い（Ｓ２）電源をＯＮにして起動する（Ｓ３）。この際、プリンタは低電力モードで待機する（Ｓ４）。起動後も他のＰＣ１２から起動通知１６を受け付けることができ（Ｓ５）、ステップＳ６でＰＣ１２から起動通知１６を受けると（Ｓ６で起動通知）、ＰＣ１２の登録を行い（Ｓ１０）ステップＳ４に進んで待機状態に移る。また、起動時にＰＣ１１から終了通知１７を受けると（Ｓ６で終了通知）、終了したＰＣ１１の登録解除を行う（Ｓ７）。この時、ネットワークで接続されプリンタに登録しているＰＣが存在していれば（Ｓ８でＹＥＳのルート）、ステップＳ４に戻ってプリンタは起動状態のままである。逆にネットワークで接続されプリンタに登録しているＰＣが存在しない場合は（Ｓ８でＮＯのルート）、電源がＯＦＦされ（Ｓ９）、自動的に起動を停止する。
また、プリンタ１４の本体には、本体の電源をオン／オフする電源スイッチもしくはパネルからの終了ボタンが備えられている。この場合、複数のユーザーがプリンタを使用して自動的に電源の制御を行っている際に、一人のユーザーがプリンタ１４の本体に付属の電源スイッチで、手動で電源を落とそうとする場合が考えられる。このような場合、電源スイッチを押しても、ＰＣと同様に内部のソフトウェアで何らかの処理を行ってから電源を落とす仕組みを提供する事で、プリンタ１４が記憶しているＰＣの起動状況の情報を確認して、もし起動しているＰＣが存在すれば、その旨を伝え、プリンタ１４の電源を落とさない。これにより、プリンタ１４を使用中のユーザーが存在するにも関わらず、プリンタの電源を落としてしまうことを防ぐことができ、ユーザーが再度プリンタの電源を投入する必要が無くなる。
【００１５】
またホームネットワーク等で、プリンタを使用しているユーザーが見えないなどの状況でも、プリンタ本体スイッチを触ることで、使用中のユーザーが存在するか分かるので、安心して電源オフを試みることができる。また、起動しているＰＣが存在するかしないかに関わらず、上記処理を行うか否かの選択ができるようにしても構わない。
また、上記、複数のユーザーがプリンタを使用して自動的に電源の制御を行っている際に、一人のユーザーがプリンタ本体に付属の電源スイッチで、手動で電源を落とそうとする場合に、別のユーザーがプリンタに起動登録を行っているが、実際にはもうプリンタを使用するつもりは無い場合も有り得る。このような場合は、電源を切らずに維持している必要は無いために、手動で電源を落とす際に、起動登録をしているＰＣに対し、電源を落として良いかの確認を行い、了承が得られると実際に電源がオフされる。これにより、プリンタを使用中のユーザーが存在するにも関わらず、プリンタの電源を落としてしまう事態を防ぐ事ができ、かつ、余計な電力消費を抑えることができる。
また、上記処理中における、ＰＣに電源オフの確認を行う際、待ち時間を設定することも可能で、これにより、ＰＣユーザーが席を離れる等の理由で、処理が滞るのを防ぐこともできる。また、起動登録しているＰＣが複数の場合も同様である。また、上記処理を行うかの選択ができるようにしても構わない。
【００１６】
図６は自動電源制御を開始して待機中に、プリンタ本体から電源を手動で落とそうとした場合の、処理の流れを示すフローチャートである。ここでは、起動しているＰＣのあるなしを判定し、起動ＰＣが存在する場合において、さらにＰＣユーザーにプリンタの電源を落としてよいか確認する設定がされている場合は、確認してから電源を落とす作業について示してある。即ち、ＰＣから起動通知を受信して自動電源制御が開始されると（Ｓ１１）、プリンタは待機状態となる（Ｓ１２）。ユーザーがプリンタ本体の電源スイッチ等により電源ＯＦＦの操作がなされると（Ｓ１３）、現在起動中のＰＣが存在するか否かをチェックし（Ｓ１４）、起動中のＰＣが無ければプリンタの電源をＯＦＦにする（Ｓ１５）。ステップＳ１４で起動中のＰＣが有れば、そのＰＣに対して終了確認のチェックを行い（Ｓ１６）、終了確認をするのであればＰＣにプリンタ終了してよいか確認通知を送信し（Ｓ１７）、その返事が終了してよいとの返事であれば、電源をＯＦＦにする（Ｓ１５）。ステップＳ１６で終了確認をしないのであれば、電源ＯＦＦ不可通知を送信して（Ｓ１９）、ステップＳ１２に進む。またステップＳ１８で返事が終了してはいけないとの返事であれば、電源ＯＦＦ不可通知を送信して（Ｓ１９）、ステップＳ１２に進む。
さらに、ＰＣから、リモートでプリンタの電源を落とす事ができるネットワークプリントシステムにおいて、複数のユーザーが同一プリンタを使用している場合、他のユーザーにとっては、プリンタの電源が落とされる事が好ましくない場合も存在する。このために、ＰＣからリモートでプリンタの電源を落とす際に、もし起動しているＰＣが存在すればその旨を伝え、プリンタの電源を落とさない。これにより、プリンタを使用中のユーザーが存在するにも関わらず、プリンタの電源を落としてしまう事態を防ぐ事ができ、ユーザーが再度プリンタの電源を投入する必要が無くなる。
【００１７】
または、ＰＣからリモートでプリンタの電源を落とす際に、起動登録をしているＰＣに対し、電源を落として良いか否かの確認を行い、了承が得られると実際に電源がオフされる。これにより、プリンタを使用中のユーザーが存在するにも関わらず、プリンタの電源を落としてしまう事態を防ぐ事ができ、かつ、余計な電力消費を抑えることができる。また、起動登録しているＰＣが複数の場合も同様である。また、上記処理を行うか否かの選択ができるようにしても構わない。
また、上記、複数のユーザーがプリンタを使用して自動的に電源の制御を行っている際に、ある一定の時間の間、プリンタが印刷等の動作を全く行わない場合に、起動しているＰＣにプリンタが使用されていない旨を、画面上に表示することでユーザーに通知し、プリンタの電源を落としてよいか確認ダイアログを表示し、ユーザーが許可するとプリンタは電源をオフする。また、この確認動作を行うまでの待ち時間はユーザーにより設定することができる。これにより、ユーザーがプリンタに起動登録を行っているが、実際にはもうプリンタを使用するつもりは無い場合に、電源を切ることで消費する電力を抑えることができる。これにより、より円滑で消費電力の少ない自動電源制御が行えるようになる。
また、プリンタは試し印刷または機密印刷等で、印刷データがプリンタのＨＤＤに蓄積される場合がある。このような場合は、ＰＣもしくはプリンタから直接操作して印刷の確定を行う。また、時刻指定で印刷の依頼を行う等の予約がされている場合も存在する。このような場合でも、一人のユーザーがプリンタ本体に付属の電源スイッチで、手動で電源を落とそうとする場合に、上記のジョブによる印刷データが残っているので、プリンタをオフすることはせず、その旨をユーザーに伝え、プリンタは電源オン状態のまま待機する。そして、予約されている処理が完了した時に、改めてＰＣの起動状況から判断して、電源オフするべきであれば起動を終了する。
【００１８】
図７は予約処理を追加した場合の処理の流れを示すフローチャートである。
ＰＣから起動通知を受信して自動電源制御が開始されると（Ｓ２１）、プリンタは待機状態となる（Ｓ２２）。ユーザーがプリンタ本体の電源スイッチ等により電源ＯＦＦの操作がなされると（Ｓ２３）、予約処理があるかをチェックし（Ｓ３０）、予約が無ければ現在起動中のＰＣが存在するか否かをチェックし（Ｓ２４）、起動中のＰＣが無ければプリンタの電源をＯＦＦにする（Ｓ２５）。ステップＳ３０で予約処理があれば、電源ＯＦＦ不可通知を送信して（Ｓ２９）、ステップＳ２２に進む。ステップＳ２４で起動中のＰＣが有れば、そのＰＣに対して終了確認のチェックを行い（Ｓ２６）、終了確認をするのであればＰＣにプリンタ終了してよいか確認通知を送信し（Ｓ２７）、その返事が終了してよいとの返事であれば、電源をＯＦＦにする（Ｓ２５）。ステップＳ２６で終了確認をしないのであれば、電源ＯＦＦ不可通知を送信して（Ｓ２９）、ステップＳ２２に進む。またステップＳ２８で返事が終了してはいけないとの返事であれば、電源ＯＦＦ不可通知を送信して（Ｓ２９）、ステップＳ２２に進む。
また、本発明機能を利用すると、たとえ自らがプリンタをＰＣから利用しており、電源の自動制御を行っている場合でも、プリンタ本体のスイッチを使用して電源をオフする事ができない場合がある。例えばホームネットワーク等では、プリンタとＰＣが、別の階、別の部屋に存在することも考えられる。このような場合、プリンタ本体から直接電源を落とす事ができなくて、ＰＣのあるところまで移動するのは煩わしい。このような場合に、プリンタにパスワードによる認証手段を設け、認証を行ったユーザーに対しては、強制的に電源をオフすることを可能とする事で、ＰＣがあるところまで移動せずに、本体から強制的に電源をオフすることができる。
【００１９】
また、上記パスワードによる認証は、管理者用の認証と、一般ユーザーの認証とで複数区別して認証することが出来る。このことにより、一般ユーザーとしての認証権限では、自分のＰＣのみが起動していて他のユーザーはプリンタを使用していない場合に限り電源のオフを行う事が出来る。管理者権限の認証を行えば、どれだけＰＣが接続している状況であっても、プリンタの電源をオフすることが出来る。これにより、プリンタの設定変更・ユーザーの誤操作・自動電源制御の故障等により電源のオフ／オンが必要になる場合に、強制的に電源を切り替えることができ、システムをより円滑に活用する事が出来る。
また、プリンタに紙詰まりや、紙無し等のエラーが発生している場合もある。この時に電源をオフオンして、再起動する必要があっても、本発明機能により電源の自動制御を行っていて、プリンタを終了することが出来ない場合がある。このようなエラー発生時には、電源管理を行っているいないにかかわらず、強制的に電源オフすることが可能である。またこの際は、ネットワークを介して接続されているＰＣにメール等の手段を用いて、発生しているエラーの内容を通知して終了することも可能である。
【００２０】
図８は障害処理を追加した場合の本発明における処理の流れを示すフローチャートである。ＰＣから起動通知を受信して自動電源制御が開始されると（Ｓ３１）、プリンタは待機状態となる（Ｓ３２）。ユーザーがプリンタ本体の電源スイッチ等により電源ＯＦＦの操作がなされると（Ｓ３３）、プリンタエラー発生中かをチェックし（Ｓ４０）、エラーでなければ現在起動中のＰＣが存在するか否かをチェックし（Ｓ３４）、起動中のＰＣが無ければプリンタの電源をＯＦＦにする（Ｓ３５）。ステップＳ４０でプリンタエラーがあれば、プリンタの電源をＯＦＦにする（Ｓ３５）。ステップＳ３４で起動中のＰＣが有れば、そのＰＣに対して終了確認のチェックを行い（Ｓ３６）、終了確認をするのであればＰＣにプリンタ終了してよいか確認通知を送信し（Ｓ３７）、その返事が終了してよいとの返事であれば、電源をＯＦＦにする（Ｓ３５）。ステップＳ３６で終了確認をしないのであれば、電源ＯＦＦ不可通知を送信して（Ｓ３９）、ステップＳ３２に進む。またステップＳ３８で返事が終了してはいけないとの返事であれば、電源ＯＦＦ不可通知を送信して（Ｓ３９）、ステップＳ３２に進む。
【００２１】
《実施例２》
また図３は、複数のプリンタ２７、２９を管理するホストＰＣ２８が存在する場合の実施例を示す図である。このように、ホストＰＣ２８を用いて、各ＰＣ２１〜２５の起動状況を管理し、プリンタ２７、２９の電源をオン／オフする手段を備えていることでも本発明は実現できる。
図４はホストＰＣ３４が存在する場合の各装置間のやり取りを示す図である。ＰＣ３１、３２はホストＰＣ３４に対して起動登録・解除を行い、ホストＰＣ３４において、ＰＣ３１、３２の起動状況を記憶する手段を備えている。プリンタ３５は電源をオフする際、ホストＰＣ３４に終了の確認を行う。
図９は自動電源制御を開始して待機中にプリンタ本体の電源を手動で落とそうとした場合の、プリンタ本体における処理の流れを示すフローチャートである。ＰＣから起動通知を受信して自動電源制御が開始されると（Ｓ４１）、プリンタは待機状態となる（Ｓ４２）。ユーザーがプリンタ本体の電源スイッチ等により電源ＯＦＦの操作がなされると（Ｓ４３）、プリンタエラー発生中かをチェックし（Ｓ４４）、エラーでなければ予約処理があるかをチェックし（Ｓ４５）、予約が無ければホストＰＣに終了を確認して（Ｓ４６）、その返事が終了してよいとの返事であれば（Ｓ４７で可）、電源をＯＦＦにする（Ｓ４８）。ステップＳ４５で予約処理があれば、電源ＯＦＦ不可通知を送信して（Ｓ４９）、ステップＳ４２に進む。またステップＳ４７で返事が終了してはいけないとの返事であれば、電源ＯＦＦ不可通知を送信して（Ｓ４９）、ステップＳ４２に進む。
【００２２】
図１０はホストＰＣにおけるプリンタから終了確認を受けてからプリンタに返事を返すまでの処理の流れを示すフローチャートである。プリンタから終了確認通知を受けると（Ｓ５１）、現在起動中のＰＣが存在するか否かをチェックし（Ｓ５２）、起動中のＰＣが無ければプリンタの電源をＯＦＦにする（Ｓ５３）。ステップＳ５２で起動中のＰＣが有れば、そのＰＣに対して終了確認のチェックを行い（Ｓ５４）、終了確認をするのであればＰＣにプリンタ終了してよいか確認通知を送信し（Ｓ５５）、その返事が終了してよいとの返事であれば、電源をＯＦＦにする（Ｓ５３）。ステップＳ５４で終了確認をしないのであれば、電源ＯＦＦ不可通知を送信して（Ｓ５７）終了する。
このように、複数のユーザーがプリンタを使用して自動的に電源の制御を行っている際に、一人のユーザーがプリンタ本体に付属の電源スイッチで、手動で電源を落とす場合、プリンタはホストＰＣ２８に対して、電源をオフしてよいかの確認通知を行う。ホストＰＣ２８においては、ＬＡＮ２６に接続されているＰＣの起動状況が実施例１と同様に登録されており、その状況により、プリンタを電源オフしてよいか判断を行い、その結果電源オフして良いと判断した場合にプリンタに許可を与え、プリンタの電源はオフされる。ホストＰＣ２８はプリンタを電源オフしてよいか判断する際、必要に応じてＬＡＮ２６に接続されているＰＣに対しプリンタ終了の確認を求めるか、または状況の通知等を行う。
また、プリンタに機密印刷や時刻指定印刷など処理の予約がなされている場合は、ホストＰＣ２８に終了確認を行うまでも無く、電源オフを行わない。そして、予約されている処理が完了した時に、改めてホストＰＣ２８に対して終了確認を行い電源オフするべきであれば、起動を終了する。また、プリンタにエラー等障害が発生している場合は、ホストＰＣに終了確認を行うまでも無く、電源オフを行う。
【図面の簡単な説明】
【００２３】
【図１】本発明のネットワークプリントシステムの一例を示す図。
【図２】同一ネットワーク上に存在するプリンタとＰＣのやり取りを示している図。
【図３】複数のプリンタを管理するホストＰＣが存在する場合の実施例を示す図。
【図４】ホストＰＣ３４が存在する場合の各装置間のやり取りを示す図。
【図５】ネットワーク上に存在する一つのプリンタが自動的にプリンタの起動制御行うときの、起動から終了までの基本的なフローチャート。
【図６】自動電源制御を開始して待機中に、プリンタ本体から電源を手動で落とそうとした場合の処理の流れを示すフローチャート。
【図７】予約処理を追加した場合の処理の流れを示すフローチャート。
【図８】障害処理を追加した場合の本発明における処理の流れを示すフローチャート。
【図９】自動電源制御を開始して待機中にプリンタ本体の電源を手動で落とそうとした場合のプリンタ本体における処理の流れを示すフローチャート。
【図１０】ホストＰＣにおけるプリンタから終了確認を受けてからプリンタに返事を返すまでの処理の流れを示すフローチャート。
【符号の説明】
【００２４】
１〜５  クライアントＰＣ、６  ＬＡＮ、７、８  プリンタ
【図１】
2006001146.tif 000003
【図２】
2006001146.tif 000004
【図３】
2006001146.tif 000005
【図４】
2006001146.tif 000006
【図５】
2006001146.tif 000007
【図６】
2006001146.tif 000008
【図７】
2006001146.tif 000009
【図８】
2006001146.tif 000010
【図９】
2006001146.tif 000011
【図１０】
2006001146.tif 000012